(57)【要約】【課題】プリントされた画像に関連付けられたコンテンツデータを短時間で確認可能な電子アルバム作成装置及び電子アルバム作成プログラムを提供すること。【解決手段】  画像データを取得して記憶させる画像データ取得手段１０と、画像データに関連付けられるコンテンツデータを取得して記憶させるコンテンツ取得手段１１と、画像データに基づいて写真プリント作成を指示するためのプリント処理指示手段２８とを備えた電子アルバム作成装置であって、画像データに関連付けられたコンテンツデータを特定するための識別情報を、写真プリント作成時に写真プリントに対して付与するための識別情報付与手段２２と、写真プリントに形成された識別情報を取得する識別情報取得手段１９と、取得された識別情報に基づき、コンテンツデータを再現させるコンテンツ再現手段２５とを備えた。コンテンツデータは、その画像データに関連付けられた音楽データ、文字データ・付帯画像データなどである。【選択図】図１
2006270144.tif 000002
【特許請求の範囲】
【請求項１】
画像データを取得して記憶させる画像データ取得手段と、
画像データに関連付けられるコンテンツデータを取得して記憶させるコンテンツ取得手段と、
画像データに基づいて写真プリント作成を指示するためのプリント処理指示手段とを備えた電子アルバム作成装置であって、
画像データに関連付けられたコンテンツデータを特定するための識別情報を、写真プリント作成時に写真プリントに対して付与するための識別情報付与手段と、
写真プリントに形成された識別情報を取得する識別情報取得手段と、
取得された識別情報に基づき、コンテンツデータを再現させるコンテンツ再現手段とを備えたことを特徴とする電子アルバム作成装置。
【請求項２】
前記識別情報と画像データとを合成処理する画像合成手段を備えていることを特徴とする請求項１に記載の電子アルバム作成装置。
【請求項３】
前記コンテンツデータは、その画像データに関連付けられた音楽データあるいは音声データであり、コンテンツ再現手段により音楽データあるいは音声データを再現させることを特徴とする請求項１又は２に記載の電子アルバム作成装置。
【請求項４】
前記コンテンツデータは、その画像データに関連付けられた文字データあるいは付帯画像データであり、コンテンツ再現手段により、表示画面に文字データあるいは付帯画像データを再現させることを特徴とする請求項１〜３のいずれか１項に記載の電子アルバム作成装置。
【請求項５】
画像データを取得して記憶させる処理と、
画像データに関連付けられるコンテンツデータを取得して記憶させる処理と、
画像データに基づいて写真プリント作成を指示する処理と、
画像データに関連付けられたコンテンツデータを特定するための識別情報を、写真プリント作成時に写真プリントに対して付与するための処理と、
写真プリントに形成された識別情報を取得する処理と、
取得された識別情報に基づき、コンテンツデータを再現させる処理とをコンピュータに実行させることを特徴とする電子アルバム作成プログラム。
【請求項６】
画像データと、この画像データに識別情報により関連付けされたコンテンツデータとが格納された記憶媒体からコンテンツデータを表示画面上に再現することができる電子アルバム再現装置であって、
前記識別情報を取得する識別情報取得手段と、
取得された識別情報に対応したコンテンツデータを再現させるコンテンツ再現手段とを備えていることを特徴とする電子アルバム再現装置。
【請求項７】
前記識別情報は、前記画像データに基づいて作成された写真プリントに形成されており、前記識別情報取得手段は、この識別情報を読み取ることで取得することを特徴とする請求項６に記載の電子アルバム再現装置。
【発明の詳細な説明】
【技術分野】
【０００１】
本発明は、画像データを取得して記憶させる画像データ取得手段と、画像データに関連付けられるコンテンツデータを取得して記憶させるコンテンツ取得手段と、画像データに基づいて写真プリント作成を指示するためのプリント処理指示手段とを備えた電子アルバム作成装置、電子アルバム作成プログラム、及び電子アルバム再現装置に関するものである。
【背景技術】
【０００２】
デジタルカメラ等の記憶メディアから画像データを取得して、これをコンピュータのモニター画面を介して閲覧するための電子アルバム作成装置が普及している。電子アルバムでは、実際のアルバムと同じように、モニター画面上でページをめくりながら、画像を閲覧して楽しむことができる。個々の画像データに対しては、タイトルや説明文等のコンテンツデータを付与することができ、電子アルバムとしての付加価値を高める工夫もなされている。
【０００３】
一方、下記特許文献１に開示されるような電子アルバムも知られている。この電子アルバムでは、画像データを画像が撮影された地点と関連付けて表示されるようにしている。すなわち、画像データの撮影地点を表示した地図をモニター画面に表示し、地図上において撮影地点を指定する（例えば、マウスでクリックする）ことで、その場所で撮影された画像を画面に表示させるものである。例えば、電子アルバム閲覧者が撮影者である場合、この電子アルバムを閲覧することで、地図により旅行の軌跡を知ることができ、旅行当時の気分を味わうことができる。例えば、地図により軌跡を順番にたどって行くことで、撮影された画像が次々と表示され、旅行当時の記憶をよみがえらせたりできる。
【０００４】
また、このような電子アルバムでは、画像データだけでなく、この画像データに関連付けられたコンテンツデータを表示させるようにすることができる。例えば、寺社などの観光スポットの場合は、その建立日や建立理由を示すテキストデータを表示させたり、遊園地のような観光スポットの場合、アトラクション名や入場料を示すテキストデータやアトラクションの画像データを表示させたりすることができる。
【特許文献１】特開２００１−１６００５８号公報
【発明の開示】
【発明が解決しようとする課題】
【０００５】
かかる電子アルバム作成装置における課題を説明する。かかる電子アルバム作成装置では、アルバムに表示される画像をプリント処理して写真プリントを作成できる。写真プリントをした場合、プリントされている画像に関連付けられたコンテンツデータを知りたいことがある。例えば、寺社の画像をプリントした場合、その寺社の建立理由を知りたいことがある。かかる場合は、電子アルバムを操作して、その画像を探すことになるが、アルバム表示される画像が多い場合は、目的とするコンテンツデータを確認するまでに多大な時間を要するという問題があった。
【０００６】
本発明は上記実情に鑑みてなされたものであり、その課題は、プリントされた画像に関連付けられたコンテンツデータを短時間で確認可能な電子アルバム作成装置、電子アルバム作成プログラム、及び電子アルバム再現装置を提供することである。
【課題を解決するための手段】
【０００７】
上記課題を解決するため本発明に係る電子アルバム作成装置は、
画像データを取得して記憶させる画像データ取得手段と、
画像データに関連付けられるコンテンツデータを取得して記憶させるコンテンツ取得手段と、
画像データに基づいて写真プリント作成を指示するためのプリント処理指示手段とを備えた電子アルバム作成装置であって、
画像データに関連付けられたコンテンツデータを特定するための識別情報を、写真プリント作成時に写真プリントに対して付与するための識別情報付与手段と、
写真プリントに形成された識別情報を取得する識別情報取得手段と、
取得された識別情報に基づき、コンテンツデータを再現させるコンテンツ再現手段とを備えたことを特徴とするものである。
【０００８】
この電子アルバム作成装置は、画像データとこの画像データに関連付けられるコンテンツデータを取得し記憶させることができる。コンテンツデータの画像データに対する関連付けは、適宜のタイミングで行えばよい。また、取得した画像データについては、プリント処理指示手段により、これを写真プリントに作成させることができる。また、写真プリントを作成する場合には、この写真プリントに対して識別情報が付与される。この識別情報により、プリントされる画像に関連付けられたコンテンツデータを特定することができる。識別情報は、写真プリントの表面側あるいは裏面側に付与される。付与される形態は、特定の形態に限定されるものではない。プリントされた画像についてのコンテンツデータを知りたい場合は、この識別情報を読み取ることで該当するコンテンツデータを直ちに抽出することができ、再現することができる。プリントされた画像に関連付けられたコンテンツデータを短時間で確認可能な電子アルバム作成装置を提供することができる。
【０００９】
本発明において、前記識別情報と画像データとを合成処理する画像合成手段を備えていることが好ましい。合成処理を行うことで、画像形成時に識別情報も同時に形成することができる。
【００１０】
本発明において、前記コンテンツデータは、その画像データに関連付けられた音楽データあるいは音声データであり、コンテンツ再現手段により音楽データあるいは音声データを再現させることが好ましい。
【００１１】
コンテンツデータとしては、種々のものが考えられるが、音楽データや音声データを画像データに関連付けすることができる。例えば、撮影地点でコンサートが行われていた場合、演奏されていた音楽を再現できるようにでき、撮影当時の情景を思い出すことができる。これにより、電子アルバムの付加価値を高めることができる。
【００１２】
本発明において、前記コンテンツデータは、その画像データに関連付けられた文字データあるいは付帯画像データであり、コンテンツ再現手段により、表示画面に文字データあるいは付帯画像データを再現させることが好ましい。
【００１３】
コンテンツデータとしては、文字データや付帯画像データを再現させてもよい。例えば、遊園地におけるアトラクション名やアトラクションの画像データ（付帯画像データ）を再現することで、撮影当時の情景を思い出すことができる。これにより、電子アルバムの付加価値を高めることができる。
【００１４】
上記課題を解決するため本発明に係る電子アルバム作成プログラムは、
画像データを取得して記憶させる処理と、
画像データに関連付けられるコンテンツデータを取得して記憶させる処理と、
画像データに基づいて写真プリント作成を指示する処理と、
画像データに関連付けられたコンテンツデータを特定するための識別情報を、写真プリント作成時に写真プリントに対して付与するための処理と、
写真プリントに形成された識別情報を取得する処理と、
取得された識別情報に基づき、コンテンツデータを再現させる処理とをコンピュータに実行させることを特徴とするものである。
【００１５】
かかる構成による作用・効果は、既に述べたとおりである。
上記課題を解決するため本発明に係る電子アルバム再現装置は、
画像データと、この画像データに識別情報により関連付けされたコンテンツデータとが格納された記憶媒体からコンテンツデータを表示画面上に再現することができる電子アルバム再現装置であって、
前記識別情報を取得する識別情報取得手段と、
取得された識別情報に対応したコンテンツデータを再現させるコンテンツ再現手段とを備えていることを特徴とするものである。
この電子アルバム再現装置は、画像データとこの画像データに識別情報により関連付けられるコンテンツデータとが格納された記憶媒体（例えば、ＣＤ−Ｒ等）を用いてコンテンツデータを容易に再現しようとするものである。この記憶媒体は、例えば、コンピュータに対して着脱自在に装着される。識別情報取得手段により、適宜の方法、例えば、キーボードやマウス等の入力操作部を操作することで識別情報を取得する。識別情報を取得することで、これに関連付けされたコンテンツデータが画面に再現される。このように、コンテンツデータを短時間で確認可能な電子アルバム再現装置を提供することができる。
本発明において、前記識別情報は、前記画像データに基づいて作成された写真プリントに形成されており、前記識別情報取得手段は、この識別情報を読み取ることで取得することが好ましい。
識別情報は、写真プリントの表面側あるいは裏面側に形成される。形成される形態は、特定の形態に限定されるものではない。プリントされた画像についてのコンテンツデータを知りたい場合は、この識別情報を読み取ることで該当するコンテンツデータを直ちに抽出することができ、再現することができる。
【発明を実施するための最良の形態】
【００１６】
本発明に係る電子アルバム作成装置の好適な実施形態を図面を用いて説明する。図１は、電子アルバム作成装置の構成を示す機能ブロック図である。
【００１７】
＜電子アルバム作成装置の構成＞
図１において、画像データ取得手段１０は、種々の記憶メディアから画像データを取得することができる。例えば、ＧＰＳ機能付デジタルカメラ２に装着される記憶メディア３から画像データを取得することができ、この画像データには付帯データとして、撮影時刻と撮影地点のデータが付加される。撮影地点データは、画像データを撮影時のＧＰＳ機能による位置測定（例えば、緯度・経度測定）に基づいて、取得できる。また、撮影時刻データも同時に取得できる。これら付帯データは画像データと共に同じ画像ファイル内に記録される。記憶メディアとしては、コンパクトフラッシュ（登録商標）、スマートメディア（登録商標）等の適宜のタイプのものを使用できる。同じくＧＰＳ機能付携帯電話４から、ＵＳＢケーブル５を介して画像データを取得することができる。
【００１８】
コンテンツ取得手段１１は、画像データと関連付けられるコンテンツデータを取得することができる。コンテンツの種類は、特に限定されるものではなく、文字データ等のテキストデータ、画像データ、音楽データ、動画データ等があげられる。コンテンツデータとしての画像データは、本来の画像データと区別するために、付帯画像データと称することとする。これらコンテンツデータは、種々の記憶メディアを介して取得することもできるし、キーボード等を用いて手動入力することもできる。画像データと関連付けされたコンテンツデータは、その画像が撮影された撮影地点データや撮影時刻データとも関連付けがされることになる。ただし、関連付けは、いつ行っても良く、適宜のタイミングで行うことができる。また、コンテンツデータは、画像データとの関連付けをせずに単独で取得（作成）することもできる。この場合、そのコンテンツデータに対して位置データを独自に設定して関連付けすることができる。
【００１９】
電子アルバム作成装置１の制御部１２は、電子アルバム作成装置１を制御して電子アルバムを作成すると共に、電子アルバム作成に必要な画像データを画像データ取得手段１０により取得すると共に、コンテンツデータをコンテンツ取得手段１１を介して取得する。コンテンツデータは、画像データの個々に対して付与されるものであるが、必ずしもすべての画像データに対して付与されるものではない。また、制御部１２は、電子アルバム作成者や閲覧者からの指令を入力処理部１３を介して受け取るように構成されている。入力処理部１３は、キーボード１３ａやマウス１３ｂ等の操作により入力・設定される入力データを処理する。
【００２０】
また、制御部１２は、出力処理部１４はアルバム作成に関する情報を処理し、モニター１５画面に電子アルバムを表示させたり、コンテンツデータに音楽データや音声データが含まれる場合は、これをスピーカ１６に出力させるための処理を行う。また、画像データを写真プリントとして出力する場合には、プリンタ１７に対してプリント画像データを出力する。プリンタ１７は、種々のタイプのものが知られており、例えば、インクジェット式プリンタ、サーマルプリンタ、写真現像式のプリンタ等の任意のプリンタを用いることができる。
【００２１】
電子アルバム記録手段１８は、作成された電子アルバムのデータを受信し、ＣＤ−Ｒ等の記憶メディアに電子アルバムデータを記録させる。これにより、他のパソコン（コンピュータ）においても、同じ電子アルバムを鑑賞することができる。
【００２２】
画像データ記憶手段２０には、画像データ取得手段１０を介して取得した画像データが保存される。コンテンツデータ記憶手段２１には、コンテンツ取得手段１１を介して取得したコンテンツデータが保存される。コンテンツデータの一部又は全部は画像データと関連付けて保存され、関連付けのための識別情報が識別情報付与手段２２により付与される。
【００２３】
また、コンテンツデータは、既述したように画像データとの関連付けがない場合は、撮影地点データとは別の位置データと関連付けて保存することができる。位置データは、緯度データと経度データによる点データとして定義することもできるし、ある大きさを有する領域で定義することもできる。例えば、寺社や遊園地などの建造物が建設されている敷地で定義されることもあれば、敷地で定義できない景観地などは所定の緯度と経度から半径１ｋｍ以内の領域などで定義することができる。撮影地点データについても、点データではなく、ある大きさを有する領域として定義しなおすこともできる。
【００２４】
地図データ記憶手段２３には、地図データが記憶されている。この地図データに基づいて、画面上に地図を表示させることができる。この地図上に、撮影地点や撮影した画像などを重ねて表示させることができる。
【００２５】
コンテンツ抽出手段２４は、画像データ記憶手段２０に記憶されている画像データの夫々に対し、画像データに対して付加されている撮影地点データに基づいて、撮影地点に関連付けされているコンテンツデータを抽出することができる。あるいは、画像データに対して識別情報により直接的に関連付けされているコンテンツデータを抽出することができる。
【００２６】
コンテンツ再現手段２５は、抽出されたコンテンツデータを再現させる機能を有する。例えば、コンテンツデータが文字データや付帯画像データであれば、これをモニター画面に表示させる。また、音楽データであれば、スピーカにより音声を出力させる。
【００２７】
画像合成手段２６は、識別情報を画像データと画像合成して写真プリントを作成するためのプリント画像データを生成することができる。例えば、識別情報をバーコードとし、このバーコード画像と画像データを画像合成する。すなわち、写真プリントの表面側に識別情報を形成するものである。写真プリントを作成する場合は、プリント処理指示手段２８の機能に基づいて行われる。例えば、プリント作成したい画像を選択して、プリントボタンをクリックすれば、写真プリントの作成が行われる。
【００２８】
電子アルバム編集手段２７は、画像データやコンテンツデータの出力順を示す情報を、出力順データとして電子アルバム内に付加する。
【００２９】
識別情報取得手段１９は、写真プリントに形成されている識別情報を取得する機能を有する。例えば、フラットベッドスキャナー６を用いて写真プリントの識別情報を読み取ることができる。識別情報がバーコードで形成されておれば、バーコードリーダにより読み取ることができる。また、写真プリントが複数ある場合には、複数の写真プリントの識別情報を連続的に読み取ることができるような機構を有することが好ましい。
【００３０】
＜電子アルバムの表示形態１＞
次に、電子アルバムの表示形態について図２により説明する。図２において、地図上に撮影地点がＣ１〜Ｃ４で示されている。各撮影地点Ｃ１〜Ｃ４には、画像データ記憶手段２０に記憶されている画像データが、例えばサムネイル画像Ｇ１〜Ｇ４で表示される。また、各撮影画像データは撮影時刻データも有しているので、これに基づいて、仮想軌跡ＶＲを描くことができる。
【００３１】
図２に示す電子アルバムの表示形態としては種々のものが考えられる。例えば、仮想軌跡ＶＲに沿ってアイコンあるいはキャラクター３０を移動させ、撮影地点に到達すると、そこで撮影された画像データをサムネイル画像でポップアップさせて表示させることができる。すなわち、仮想軌跡ＶＲのスタート時点にスタートボタン３１を配置し、これをクリックすることで、キャラクター３０が移動し、撮影地点Ｃ１〜Ｃ４に到達するごとに、サムネイル画像が表示される。これにより、旅行で味わった気分を思い出すことができる。また、撮影された画像データにコンテンツデータが関連付けされている場合は、そのコンテンツデータも表示させることができる（Ｄ１〜Ｄ４）。またサムネイル画像をクリックすることで、拡大された画像に切り替え可能にすることもできる。
【００３２】
その他の電子アルバム表示態様としては、図２における表示画面において、撮影されたすべての画像と、これに関連付けされたコンテンツを同時に表示させてもよい。あるいは、画像やコンテンツデータの表示は、通常は行わず、撮影地点Ｃ１〜Ｃ４をクリックすることで、画像を表示させたりコンテンツデータを表示させたりすることができる。また、画像のみを表示させ、さらにこの画像をクリックすることでコンテンツデータを表示させるようにしても良い。また、コンテンツデータには、撮影地点と関連のないものも記憶されている。例えば、Ｐ１〜Ｐ４に示す領域にはコンテンツデータのみが記憶されている。かかる場合は、その領域Ｐ１〜Ｐ４をクリックすることで、コンテンツデータを表示させることができる（Ｄ５〜Ｄ７で示す）。
【００３３】
＜電子アルバムの表示形態２＞
次に、電子アルバムの別の表示形態を図３により説明する。地図表示エリア３３には、図２で説明した地図と仮想軌跡ＶＲが表示される。撮影地点Ｃ１〜Ｃ４には、撮影された画像データが存在することを示すカメラアイコンＥが表示されている。撮影地点における画像枚数が複数存在する場合は、その枚数も合わせて表示される。例えば、撮影地点Ｃ３では、画像データが７枚存在することが表示されている。
【００３４】
画像表示エリア３３は、撮影地点において撮影された画像データを表示するエリアである。コンテンツ表示エリア３４は、画像表示エリア３３に表示されている画像に関連付けられたコンテンツを表示させるエリアである。調整ボタン３５は、コンテンツの表示態様を調整するためのボタンである。例えば、コンテンツが動画データであれば、その再生速度などを調整することができる。
【００３５】
この図３において、キャラクター３０を仮想軌跡ＶＲに沿って移動させ、キャラクター３０がある撮影地点に到達すると、その地点における画像データとコンテンツデータが、夫々エリア３３，３４に表示されることになる。例えば、キャラクター３０が撮影地点Ｃ２に到達すると、その地点で撮影された画像とこれに関連付けられたコンテンツが表示され、この表示はキャラクター３０が次の撮影地点Ｃ３に到達するまで続けられる。あるいは、撮影地点Ｃ２でキャラクター３０が所定時間停止するようにし、その停止している間だけ表示するようにしてもよい。また、コンテンツが動画データである場合は、その再生時間を確保できるように、キャラクター３０の停止時間や移動速度を調整できるようにしておくことが好ましい。また、コンテンツデータとして、音楽データを記憶させておくことができ、その場合はパソコンに内蔵あるいは外付けされたスピーカにより音楽が再生される。また、コンテンツデータとして表示エリア３４にテキストデータを表示させる場合、これを音声により再生する形態とすることもできる。例えば、観光スポットの説明を音声で行うようにできる。
【００３６】
＜コンテンツの再現＞
次に、コンテンツの再現について説明する。既に説明してきたように、本実施形態にかかる電子アルバムにより、画像を種々の態様で表示させることができるが、この画像を写真プリントとして出力することもできる。この写真プリントの作成例を図４に示す。図４（ａ）の作成例では、通常の画像のほかに、バーコード画像が形成されている。このバーコード画像は、識別情報４０に相当するものであり、識別情報付与手段２２により付与されたものである。バーコード画像と通常の画像を画像合成手段２６により画像合成することで、（ａ）に示す写真プリントが作成される。
【００３７】
（ｂ）は、バーコードではなく、文字データにより識別情報４０を構成したものである。この場合も、通常の画像と画像合成することで写真プリントを作成することができる。（ｃ）は写真プリントの裏面に識別情報４０を印字したものである。印字される情報は、文字データであるが、これに限定されるものではなく、バーコードとしてもよい。また、識別情報４０は、電子透かしの技術を用いて記録してもよい。裏面に印字する場合、専用の裏面印字機（ドットインパクトプリンタやインクジェットプリンタ等）により印字することができる。また、表面に識別情報を形成する場合も、画像形成を行うプリンタとは別の印字機により行ってもよい。また、識別情報４０を形成する場所であるが、いずれも写真プリントの右下に形成しているが、これに限定されるものではなく、例えば、左上、左下などの適宜の場所にすることができる。また、裏面に形成する場合は、裏面の任意の場所に形成することができる。
【００３８】
識別情報取得手段１９は、図４に例示するような識別情報を取得することができる。識別情報を取得することで、コンテンツ抽出手段２４は、識別情報に対応したコンテンツデータを抽出する。コンテンツ再現手段２５は、抽出されたコンテンツデータを再現させることができる。このような機能は、次のような理由により設けられる。
【００３９】
本発明に係る電子アルバムは、記憶されている画像データに基づいて、写真プリントを作成させる機能を有している。多数の写真プリントを行った場合、写真プリントに関連付けられたコンテンツデータを見たいということがある。その場合、電子アルバムを開いて特定のコンテンツデータを探すのに多大な時間を要することがある。そこで、写真プリントに識別情報を形成し、これを読み取ることで直ちにコンテンツデータを抽出できるようにした。これにより、コンテンツデータを見るまでの時間を短縮することができる。図５は、コンテンツデータを抽出するときの処理手順を示すフローチャートである。
【００４０】
まず、フラットベッドスキャナー６等を用いて識別情報を読み取ると（＃１）、識別情報を取得して、コンテンツデータを抽出する（＃２，３）。例えば、図３に示すような表示画面に切り替わり、表示エリア３３には識別情報を読み取った写真プリントの形成されている画像が表示（形態によっては画像を表示しないものであっても良い。）され、表示エリア３４には、コンテンツデータが再現される（＃４）。また、表示エリア３２には、地図データが表示されるが、現在表示エリア３３に表示されている画像が撮影された撮影地点が点滅することで、どの地点で撮影された画像であるかも表示させることができる。
【００４１】
識別情報を読み取った場合のコンテンツデータの表示形態は、種々変形例が考えられ、図３に示すものに限定されるものではない。また、識別情報を読み取った場合、その画像が撮影された地点から電子アルバムが進行するようにしてもよい。すなわち、仮に図３の撮影地点Ｃ２の画像とコンテンツデータが抽出された場合、撮影地点Ｃ２からキャラクター３０が仮想経路ＶＲに沿って移動し始め、次々と画像とコンテンツデータが表示されるようにしても良い。
【００４２】
また、複数枚の写真プリントの識別情報を連続的に読み取った場合は、図３に示す表示画面において、画像とコンテンツが自動的に切り替わっていくようにしてもよい。複数の写真プリントから読み取る場合、識別情報の抽出がすべて終わるまで続けられる（＃５）。
【００４３】
＜電子アルバム再現装置＞
本発明の構成によれば、画像データと、この画像データに識別情報により関連付けされたコンテンツデータとが格納された記憶媒体からコンテンツデータを再現する電子アルバム再現装置を提供することができる。記憶媒体は、例えばＣＤ−Ｒ、ＤＶＤ−Ｒ等であり、パソコン本体に対して着脱自在あるいは、外付けドライブ装置により着脱自在に装着される。すなわち、これまで説明してきたような電子アルバム作成装置により作成された電子アルバムを記憶媒体に格納し、これを用いてコンテンツデータの再現をすることができる。
この場合、識別情報取得手段により識別情報を取得することで、コンテンツデータを再現可能である。識別情報を取得する方法は、図４に示すように写真プリントに形成されている識別情報を読み取ればよい。識別情報を読み取ることで、コンテンツデータを表示画面に直ちに再現することができる。このとき、画像も合わせて再現（表示）するようにしてもよい。
また、識別情報は、写真プリントから読み取るのではなく、キーボードやマウスを用いて入力するようにしても良い。この場合、写真プリントが手元になくても、コンテンツデータを再現することができる。
＜別実施形態＞
本実施形態にかかる電子アルバム作成装置は、図１で説明した所望の機能を有するソフトウェア（電子アルバム作成プログラム）をパソコンにインストールすることで、各家庭内において楽しむことができるものであるが、写真店に設置される写真処理装置や注文受付端末に上記ソフトウェアをインストールして使用してもよい。また、上記電子アルバム作成プログラムは、写真店が提供するサービスの１つとして、顧客に対して提供できるようにしてもよい。プログラムは、ＣＤ−Ｒ等の記憶メディアに格納した状態で提供することができる。また、顧客がネガフィルムに形成されたコマ画像のＣＤ−Ｒ等への書き込みを依頼した場合、上記電子アルバム作成プログラムも合わせて提供するようにできる。
【００４４】
写真プリントを作成する場合、識別情報を常に印字するのではなく、印字するモードと印字しないモードとを設けて、いずれか一方を選択できるようにすることが好ましい。また、コンテンツデータが存在しない場合は、識別情報の印字は行われない。
【００４５】
コンテンツデータにＧＰＳにより取得した撮影地点データや撮影時刻データを含ませてもよい。
【図面の簡単な説明】
【００４６】
【図１】電子アルバム作成装置の構成を示す機能ブロック図
【図２】電子アルバムの表示例を示す図
【図３】電子アルバムの表示例を示す図
【図４】写真プリントの作成例を示す図
【図５】コンテンツを抽出するまでの処理手順を示すフローチャート
【符号の説明】
【００４７】
１      電子アルバム作成装置
６      フラットベッドスキャナー
１０    画像データ取得手段
１１    コンテンツ取得手段
１２    制御部
１５    モニター
１６    スピーカ
１７    プリンタ
１８    電子アルバム記録手段
１９    識別情報取得手段
２０    画像データ記憶手段
２１    コンテンツデータ記憶手段
２２    識別情報付与手段
２３    地図データ記憶手段
２４    コンテンツ抽出手段
２５    コンテンツ再現手段
２６    画像合成手段
２７    電子アルバム編集手段
２８    プリント処理指示手段
３３    画像表示エリア
３４    コンテンツ表示エリア
【図１】
2006270144.tif 000003
【図２】
2006270144.tif 000004
【図３】
2006270144.tif 000005
【図４】
2006270144.tif 000006
【図５】
2006270144.tif 000007